(57)【要約】【課題】  本発明は、フリーズ動画データの縦位置再生を少ない処理コストで実現するを目的とする。【解決手段】  本発明のデジタルカメラは、撮像部、姿勢判定部、撮像制御部、回転変換部、および画像処理部を備える。撮像部は、被写体像の撮像を行う。姿勢判定部は、縦位置／横位置の撮影姿勢を判定する。撮像制御部は、撮像部を制御して静止画を得る。回転変換部は、撮影姿勢に合わせて、静止画を回転変換する。画像処理部は、回転変換後の静止画を動画フレームに格納することにより、回転変換後の静止画を所定期間再生するフリーズ動画データを作成する。【選択図】      図２
2006165768.tif 000002
【特許請求の範囲】
【請求項１】
被写体像を撮像する撮像部と、
縦位置／横位置の撮影姿勢を判定する姿勢判定部と、
前記撮像部を制御して静止画を得る撮像制御部と、
前記撮影姿勢に合わせて、前記静止画を回転変換する回転変換部と、
回転変換後の前記静止画を動画フレームに格納することにより、回転変換後の前記静止画を所定期間再生するフリーズ動画データを作成する画像処理部と
を備えたことを特徴とするデジタルカメラ。
【請求項２】
請求項１に記載のデジタルカメラにおいて、
前記回転変換部は、前記静止画を回転変換するに際して、前記静止画の画面長辺方向の画素数が、画面短辺方向の画素数以下になるように前記静止画を解像度変換する
ことを特徴とするデジタルカメラ。
【請求項３】
請求項１または請求項２に記載のデジタルカメラにおいて、
前記回転変換部は、前記静止画を回転変換するに際して、回転前の画面アスペクト比を維持するよう、回転変換後の前記静止画の画面の枠外にアスペクト調整用の所定画像を合成する
ことを特徴とするデジタルカメラ。
【発明の詳細な説明】
【技術分野】
【０００１】
本発明は、デジタルカメラに関する。
【背景技術】
【０００２】
従来、デジタルカメラでは、縦位置撮影された静止画ファイルの画像回転を一切行わず、縦位置撮影の情報のみを付加している。パソコン上の再生ソフト側では、この縦位置撮影の情報を検出すると、静止画ファイルの画像を自動的に９０度回転して表示する。
また、特許文献１には、再生時に動画を縦位置に回転する技術が記載されている。すなわち、デジタルカメラ側では、縦位置撮影された動画ファイルに対して画像回転を一切行わず、縦位置撮影の情報を付加記録する。動画再生機器側で、この縦位置撮影の情報を検出すると、動画一コマ一コマを縦位置に画像回転して動画表示する。
このように、従来技術では、カメラ内で縦位置撮影の情報を画像に付加するのみであり、画像の回転変換は再生機器側で実施されていた。
【特許文献１】特開２００４−２４８１７１号公報（請求項１，２など）
【発明の開示】
【発明が解決しようとする課題】
【０００３】
本発明者は、デジタルカメラで撮影した静止画を、動画専用の再生機器でも簡易再生するための技術について検討した。その結果、デジタルカメラ内において、静止画を、動画ファイル規格に準拠した動画データに変換することを考えた。この動画データは、静止画を所定時間再生する動画データ（フリーズ動画データ）となる。動画再生機器側では、このフリーズ動画データを、通常の動画データと同様に動画再生することによって、静止画の簡易再生を実現できる。
【０００４】
ところで、縦位置撮影された静止画から、フリーズ動画データを作成する場合が問題になる。すなわち、一般的な動画専用の再生機器は、上述した縦位置撮影の情報に対応していない。そのため、汎用の動画再生機器では、フリーズ動画データの動画フレームを縦位置に回転して表示することができず、横向きのままの見苦しい静止画再生となってしまう。
【０００５】
また、動画再生機器側で縦位置撮影の情報にたとえ対応したとしても、フリーズ動画データの動画フレームを一コマずつ縦位置に回転する変換処理は処理コストが重く、コマ落ちなどの問題が懸念される。
【０００６】
本発明の目的は、このような点に鑑みて、フリーズ動画データの縦位置再生を少ない処理コストで実現することである。
【課題を解決するための手段】
【０００７】
《１》
本発明のデジタルカメラは、撮像部、姿勢判定部、撮像制御部、回転変換部、および画像処理部を備える。
撮像部は、被写体像の撮像を行う。
姿勢判定部は、縦位置／横位置の撮影姿勢を判定する。
撮像制御部は、撮像部を制御して静止画を得る。
回転変換部は、撮影姿勢に合わせて、静止画を回転変換する。
画像処理部は、回転変換後の静止画を動画フレームに格納することにより、回転変換後の静止画を所定期間再生するフリーズ動画データを作成する。
【０００８】
《２》
なお好ましくは、回転変換部は、静止画を回転変換するに際して、静止画の画面長辺方向の画素数が、画面短辺方向の画素数以下になるように静止画を解像度変換する。
【０００９】
《３》
また好ましくは、回転変換部は、静止画を回転変換するに際して、回転前の画面アスペクト比を維持するよう、回転変換後の静止画の画面の枠外にアスペクト調整用の所定画像を合成する。
【発明の効果】
【００１０】
［１］
本発明では、デジタルカメラ内において、撮影姿勢に合わせて静止画の回転変換を実施する。デジタルカメラは、この回転変換後の静止画を動画フレームに格納することによって、フリーズ動画データを作成する。
例えば、ＭｏｔｉｏｎＪＰＥＧ規格であれば、回転変換後の静止画を複製して、複数の動画フレームに順次格納すればよい。また、ＭＰＥＧ規格のようにフレーム間予測差を使用する場合には、回転変換後の静止画を複製して複数のＩピクチャーに格納し、中間のＰピクチャーやＢピクチャーには、フレーム間予測差ゼロを示す情報を格納すればよい。
このような動画規格であれば静止画の回転変換は１回で済む。そのため、デジタルカメラ側で回転変換を行っても、処理コストの増加は無視できる程度に収まる。
さらに、このフリーズ動画データは、動画再生機器において通常の動画と同様に再生することができる。特に、縦位置撮影されたフリーズ動画データについては、動画再生機器側で特別な処理を行うことなく、縦位置の状態で再生表示することができる。
【００１１】
［２］
なお、本発明では、静止画を回転変換する際に、静止画の画面長辺方向の画素数が、画面短辺方向の画素数以下になるように解像度変換を合わせて実施することが好ましい。
この場合、回転変換後の画面サイズ（縦横画素数）は、回転変換前の画面サイズからはみ出さない。そのため、動画再生機器側では、特別な処理を行うことなく、横位置の画面サイズに合わせた表示画面内に、縦位置の静止画をはみ出すことなく表示することができる。
【００１２】
［３］
また、本発明では、回転変換後の静止画の画面の枠外にサイズ調整用の所定画像を合成して、横位置の画面アスペクト比を維持することが好ましい。
この場合、動画再生機器側では、横位置／縦位置の切り換えに際して、特別なアスペクト変換処理を行う必要がなく、縦位置の画像であっても横位置の画像として再生することが可能になる。
【発明を実施するための最良の形態】
【００１３】
《第１実施形態》
［第１実施形態の構成説明］
図１は、第１実施形態の構成を示すブロック図である。
図１において、デジタルカメラ１１には、撮影レンズ１２が装着される。この撮影レンズ１２の像空間には、撮像素子１３の受光面が配置される。この撮像素子１３は、タイミングジェネレータ２２ｂの出力パルスによって撮像動作が制御される。
【００１４】
この撮像素子１３から出力される画像データは、Ａ／Ｄ変換部１５および信号処理部１６を介して、バッファメモリ１７に一時記憶される。
このバッファメモリ１７は、バス１８に接続される。このバス１８には、画像処理部１９、カードインターフェース２０、マイクロプロセッサ２２、圧縮伸張部２３、画像表示部２４、赤目軽減発光部３０、閃光発光部３１、および音声処理部３２が接続される。
【００１５】
この内、カードインターフェース２０は、着脱自在なメモリカード２１に対してデータの読み書きを行う。
また、マイクロプロセッサ２２には、スイッチ群２２ａ、レリーズ釦２２ｃ、および姿勢センサ２２ｄから信号が入力される。このスイッチ群２２ａには、メニュー釦、モード操作釦、マルチセレクタ釦、コマンドダイヤルなどが含まれる。
さらに、画像表示部２４は、デジタルカメラ１１の背面に設けられたモニタ画面２５に画像を表示する。
また、音声処理部３２にはマイク３３が接続される。
【００１６】
［第１実施形態の動作説明］
第１実施形態は、次のような動作上の特徴を備える。
（１）レリーズ釦２２ｃの半押しによる動画バッファリング
（２）半押し解除による動画バッファリングの削除
（３）レリーズ釦２２ｃの全押しによる動画バッファリングの完了
（４）静止画からフリーズ動画データの作成
（５）カメラ姿勢に対応したフリーズ動画データの画像回転処理
（６）動画データとフリーズ動画データのマージ処理
【００１７】
図２は、これらの動作を説明する流れ図である。以下、図２に示すステップ番号に沿って、これらの動作を説明する。
まず、デジタルカメラ１１の主電源が投入されると、マイクロプロセッサ２２は、所定の初期設定を経た後、ステップＳ１に動作を移行する。
【００１８】
ステップＳ１：  マイクロプロセッサ２２は、まず、バッファメモリ１７内のメモリ領域を開放する。この動作により、バッファメモリ１７に過去蓄積された動画バッファリングは削除される。
【００１９】
ステップＳ２：  デジタルカメラ１１は、モニタ画面２５に撮像画像（動画）をほぼリアルタイムに表示する。この場合、滑らかな動画表示を実現するため、撮像素子１３の読み出しライン数を減数することによって高フレームレート（例えば３０フレーム／秒）のＶＧＡ画像を継続的に読み出す（いわゆるドラフトモード）。
マイクロプロセッサ２２は、測光処理の結果（例えばＶＧＡ画像の信号レベル）に基づいて、このドラフトモード時の露出設定を行う。
【００２０】
ステップＳ３：  さらに、マイクロプロセッサ２２は、ドラフトモード用の焦点制御（例えばＶＧＡ画像によるコントラスト山登りＡＦ）を行う。なお、ここでは、ユーザーによる構図変更などにも焦点制御が十分追従するよう、合焦精度の粗い高速な焦点制御が実施される。
【００２１】
ステップＳ４：  マイクロプロセッサ２２は、タイミングジェネレータ２２ｂを介して、撮像素子１３をドラフトモードで順次駆動し、ＶＧＡ画像を次々に撮像する。
【００２２】
ステップＳ５：  このように読み出されたＶＧＡ画像は、画像表示部２４によって、モニタ画面２５にモニタ表示される。
【００２３】
ステップＳ６：  マイクロプロセッサ２２は、このモニタ表示に並行して、レリーズ釦２２ｃの半押し操作を監視する。
ここで、半押し操作を検出しない場合、マイクロプロセッサ２２はステップＳ２に動作を戻す。
一方、半押し操作（第１開始信号の入力）を検出すると、マイクロプロセッサ２２はステップＳ７に動作を移行する。
【００２４】
ステップＳ７：  この半押し期間への移行に対応し、マイクロプロセッサ２２は、静止画撮影（レリーズ全押し）に備えて、静止画撮影用の高精度な焦点制御を実施する。
【００２５】
ステップＳ８：  さらに、マイクロプロセッサ２２は、測光処理の結果（例えばＶＧＡ画像の信号レベル）に基づいて、静止画撮影用の露出値（絞り値、電荷蓄積時間、撮像感度）を決定する。
なお、この静止画撮影の露出値と同等な露出が得られるよう、マイクロプロセッサ２２は動画撮影の露出設定も行う。すなわち、マイクロプロセッサ２２は、動画撮影の電荷蓄積時間１／３０秒の条件で、静止画撮影と同等の露出結果が得られるように絞り値を決定する。このとき、開放絞りにしても露出が不足する場合は、撮像感度の設定（Ａ／Ｄ変換部１５のゲイン）を上げることで露出不足を補う。一方、最小絞りであっても露出過多となる場合には、電荷蓄積時間を１／１００秒に短縮するなどの設定が行われる。
【００２６】
ステップＳ９：  マイクロプロセッサ２２は、タイミングジェネレータ２２ｂを介して、撮像素子１３をドラフトモードで順次駆動し、ＶＧＡ画像の撮像を継続する。
【００２７】
ステップＳ１０：  マイクロプロセッサ２２は、ＡＦ処理（ステップＳ７）およびＡＥ処理（ステップＳ８）の完了後、ＶＧＡ画像の動画バッファリング（バッファメモリ１７に動画フレームとして蓄積すること）を開始する。
なお、動画撮影の上限時間（例えば３秒間）を超えた場合、マイクロプロセッサ２２は、古い動画フレームから順に消去する。この動作により、バッファメモリ１７中には、上限時間以下の最新の動画フレームが保持される。
【００２８】
ステップＳ１１：  画像表示部２４は、このＶＧＡ画像を、モニタ画面２５に順次表示する。
【００２９】
ステップＳ１２：  このような動画バッファリング中に、レリーズ釦２２ｃの半押し操作が解除されると（第１開始信号の解除）、マイクロプロセッサ２２はステップＳ１に動作を戻す。このステップＳ１では、バッファメモリ１７内の動画バッファリングは記録保存されることなく削除される。この動画バッファリングの削除後、マイクロプロセッサ２２は、ステップＳ２以降の半押し前の動作を再開する。
一方、レリーズ釦２２ｃの半押し操作が継続中の場合、マイクロプロセッサ２２は、ステップＳ１３に動作を移行する。
【００３０】
ステップＳ１３：  ここで、マイクロプロセッサ２２は、レリーズ釦２２ｃが全押しされたか否かを判定する。
もし、全押し操作（第２開始信号の入力）を検出した場合、マイクロプロセッサ２２はステップＳ１４に動作を移行する。
一方、全押し操作を検出しない場合、マイクロプロセッサ２２はステップＳ９に動作を戻す。
【００３１】
ステップＳ１４：  マイクロプロセッサ２２は、静止画撮影用の露出値を用いて、静止画の露光動作を実施する。このように、動画撮影（ステップＳ９）と静止画撮影（ステップＳ１４）の露出条件を揃えることにより、動画と静止画の明るさをほぼ一致させることが可能になる。
続いて、マイクロプロセッサ２２は、タイミングジェネレータ２２ｂを介して、撮像素子１３を全画素読み出しモードで順次駆動し、高解像度の静止画を読み出す。この静止画は、Ａ／Ｄ変換部１５でデジタル化された後、信号処理部１６において欠陥画素補正や階調補正などの処理が施される。
その後、静止画はバッファメモリ１７に一旦蓄積され、画像処理部１９によって、色補間、色補正、ノイズ除去、および輪郭強調などの画像処理が施される。圧縮伸張部２３は、処理済みの静止画を画像圧縮する。
なお、画像処理部１９は、赤目の検出箇所に対して自動赤目軽減の信号処置を実施してもよい。さらに、画像処理部１９は、静止画の階調を分析して、露光量の少ない画像領域を明るくするように階調補正を実施してもよい。
このように静止画のみに種々の画像処理が行うことにより、画質劣化の目立ちやすい静止画を特に高画質化する。さらに、動画に対する画像処理を省略することによって全体の処理時間短縮を可能にしている。
【００３２】
ステップＳ１５：  メモリカード２１内には、図３［Ｂ］に示すように、静止画を格納するための静止画用フォルダが設けられる。カードインターフェース２０は、画像圧縮された静止画ファイルを、この静止画フォルダの階層下に記録する。
【００３３】
ステップＳ１６：  画像処理部１９は、バッファメモリ１７内の静止画をＶＧＡサイズに解像度変換する。
【００３４】
ステップＳ１７：  マイクロプロセッサ２２は、姿勢センサ２２ｄの出力から静止画撮影時のカメラ姿勢を検出する。
ここで、静止画が横位置撮影の場合、マイクロプロセッサ２２は、図４［Ａ］に示すように、ＶＧＡサイズに解像度変換された静止画をそのまま採用する。
一方、静止画が縦位置撮影の場合、画像処理部１９は、図４［Ｂ］に示すように
ＶＧＡサイズ『横６４０画素×縦４８０画素』の画像データを回転する。このとき、回転変換後の長辺が、回転変換前の短辺以下の画素数となるように、解像度変換も併せて施され、『横３６０画素×縦４８０画素』の画像データを得る。さらに、画像処理部１９は、回転変換前のアスペクト比を維持するよう、回転変換後の画像の枠外に所定画像（余白を示す画像など）を付加し、『横６４０画素×縦４８０画素』の画像を得る。
【００３５】
ステップＳ１８：  マイクロプロセッサ２２は、ステップＳ１７の処理を経たＶＧＡ静止画を、動画フレームとして３秒間再生するフリーズ動画データを作成する。
例えば、ＭｏｔｉｏｎＪＰＥＧのフリーズ動画データであれば、ＶＧＡ静止画の圧縮データを複製して、複数の動画フレームに順次格納すればよい。また、ＭＰＥＧ規格のフリーズ動画データであれば、ＶＧＡ静止画の圧縮データを複製して複数のＩピクチャーに格納し、中間のＰピクチャーやＢピクチャーには、フレーム間予測差ゼロを示す情報を格納すればよい。
【００３６】
ステップＳ１９：  マイクロプロセッサ２２は、バッファメモリ１７内の動画データのヘッダ用の情報としてＶＧＡ静止画を格納する。この情報はバッファ内の画像データをＭＰＥＧなどの所定の動画ファイル規格にエンコードした際に、サムネイルなどのヘッダー情報もしくは、動画再生におけるいわゆるキャプチャーメニュー用に使用されるものである。
なお、動画の再生装置（あるいは再生プログラム）では、動画１フレーム目の画像をサムネイル画像として表示するソフトもある。そこで、ＶＧＡ静止画を動画１フレーム目に格納してもよい。この場合、動画再生時にこのＶＧＡ静止画が瞬間的（例えば１／３０秒）に再生されるが、僅かな時間のため動画鑑賞に支障は少ない。
これらの処理により、動画データを後で取り扱う場合や、デジタルカメラで再生する場合に、希望するデータが探しやすいという利点がある。さらに、静止画と動画を別々に記録する場合に比べて、両データの関連付け情報が不要になるなどの利点がある。
【００３７】
ステップＳ２０：  マイクロプロセッサ２２は、バッファメモリ１７内の動画データの最終フレームに続けて、ステップＳ１８で作成したフリーズ動画データを連結編集する。
【００３８】
ステップＳ２１：  圧縮伸張部２３は、バッファメモリ１７内の編集済みの動画データに対して、モーションＪＰＥＧ、ＭＰＥＧ２、ＭＰＥＧ４、Ｈ２６４その他のエンコード処理を施し、動画ファイルを生成する。メモリカード２１内には、図３［Ａ］に示すように、この動画ファイル用のフォルダが設けられる。カードインターフェース２０は、エンコード済みの動画ファイルを、このフォルダの階層下に記録する。
なお、図５に示すように、マイクロプロセッサ２２は、メモリカード２１内に、一連の編集済み動画データを１つに纏めた動画ファイルを作成してもよい。この動画ファイルは、メモリカード２１内に先行して記録済みの動画ファイルに対して、最新の動画ファイルを日付表示などと共に逐次連結することによって作成される。
【００３９】
ステップＳ２２：  マイクロプロセッサ２２は、上述した記録処理を完了すると、ステップＳ１に動作を戻し、次回の撮影処理に備える。なお、デジタルカメラ１１の主電源がオフされた場合には、記録処理の完了を待って動作を終了する。
【００４０】
［第１実施形態の効果など］
上述したように、第１実施形態では、静止画を所定期間再生するフリーズ動画データを作成する。このフリーズ動画データであれば、動画専用の再生機器であっても、通常の動画と同様に再生することができる。
【００４１】
さらに、第１実施形態では、レリーズ全押し前の動画データと、フリーズ動画データを連結して動画ファイルを生成する。この動画ファイルを再生することにより、レリーズ全押し前の動画と、静止画（フリーズ動画）とを、一度に連続再生することができる。その結果、この動画部分と静止画部分とを別々に探して再生するなどの手間が要らず、使い勝手のよいデジタルカメラが実現する。また、この動画と静止画とが単一の動画ファイルに纏まることから、メモリカード２１内のファイル整理も容易になる。
【００４２】
また、半押し解除によって動画バッファリングも解除されるため、不要な動画データを簡単に廃棄し、動画記録のやり直しを何度でも簡単に実施することができる。
【００４３】
さらに、第１実施形態では、静止画撮影用のＡＥ動作およびＡＦ動作を完了した後に、動画バッファリングを開始する。したがって、動画データとフリーズ動画データの明るさを揃えることが可能となる。その結果、動画ファイルの再生時において、動画と静止画の切り換え箇所で明るさ変化が目立つことがなく、自然な印象を与えることができる。
【００４４】
また、第１実施形態では、ドラフトモードの動画データの画面サイズ（縦横画素数）に合わせて、フリーズ動画データを解像度変換する。この解像度変換を施すことにより、動画データとフリーズ動画データの再生切り換え箇所において表示解像度は変化しなくなる。その結果、動画からフリーズ動画への円滑な再生切り換えが実現する。
【００４５】
なお、第１実施形態では、撮影姿勢に合わせてＶＧＡ静止画を回転変換し、その回転変換後のＶＧＡ静止画を動画フレームに複製して格納することによって、フリーズ動画データを作成する。この場合、ＶＧＡ静止画の回転変換は記録時に１回のみで済み、再生装置側で動画フレームを１つずつ回転変換するよりも、処理コストが軽くなるという長所がある。
【００４６】
また、第１実施形態では、この回転変換に際して、ＶＧＡサイズへの調整も行われる。したがって、再生装置側では、横位置／縦位置の表示切り換えに際して、特別なアスペクト変換処理や表示解像度の切り換えの必要がなく、円滑な表示切り替えが可能になる。
【００４７】
なお、図５に示すように、デジタルカメラ１１内では、一連の動画ファイルを１つに纏めて作成することもできる。この動画ファイルであれば、汎用の動画再生機器において、動画データおよびフリーズ動画データを順次に切り換えて再生することができる。そのため、専用の再生環境が不要であり、知人への譲渡などに適した汎用性の高い動画ファイルを作成できる。
【００４８】
さらに、図５に示す一連の動画ファイルでは、汎用の動画再生機器を使用して、ＶＧＡ静止画を選択肢として並べたキャプチャーメニューを表示することができる。このキャプチャーメニューの操作により、所望の画像に即座にアクセスすることが可能になる。
次に、別の実施形態について説明する。
【００４９】
《第２実施形態》
第２実施形態の構成は、第１実施形態（図１）と同じため、ここでの説明を省略する。
第２実施形態の特徴は、動画データおよびフリーズ動画データの他に、音声や切り換え効果用画像を付加する点である。
図６は、第２実施形態の動作を説明する流れ図である。以下、図６に示すステップ番号に沿って、これらの動作を説明する。
【００５０】
ステップＳ１２０〜Ｓ１３１：  第１実施形態のステップＳ１〜Ｓ１１と同じ処理。
【００５１】
ステップＳ１３２：  音声処理部３２は、動画バッファリングと同時並行して、マイク３３から音声データ（以下『第１音声データ』という）を取得してバッファメモリ１７に蓄積し、動画データの同期再生音とする。
【００５２】
ステップＳ１３３〜Ｓ１３４：  第１実施形態のステップＳ１２〜１３と同じ処理。
【００５３】
ステップＳ１３５：  音声処理部３２は、レリーズ釦２２ｃの全押し操作時点から３秒間にわたって、マイク３３から音声データ（以下『第２音声データ』という）を取得し、バッファメモリ１７に蓄積する。
【００５４】
ステップＳ１３６〜Ｓ１４１：  第１実施形態のステップＳ１４〜Ｓ１９と同じ処理。
【００５５】
ステップＳ１４２：  マイクロプロセッサ２２は、バッファメモリ１７内の動画データの最終フレームに対して、所定の切り換え効果用画像、およびフリーズ動画データを連結する。
【００５６】
ステップＳ１４３：  マイクロプロセッサ２２は、切り換え効果用画像およびフリーズ動画データの同期再生音として、所定の効果音データおよび第２音声データをそれぞれ付加する。
【００５７】
ステップＳ１４４〜Ｓ１４５：  第１実施形態のステップＳ２１〜Ｓ２２と同じ処理。
【００５８】
［第２実施形態の効果など］
以上説明したように、第２実施形態では第１実施形態と同様の効果を得ることができる。
さらに、第２実施形態では、フリーズ動画データに、静止画の撮像時点を含む期間の第２音声データを同期再生音として付加する。その結果、フリーズ動画データの再生時に、その撮像時点の音声を再生することが可能になり、フリーズ動画データの臨場感を一段と高めることができる。
【００５９】
また、第２実施形態では、動画とフリーズ動画（静止画）との切り換え箇所に、特殊効果（効果音声データおよび切り換え効果用画像）を付加する。例えば、デジタルカメラ１１では、下記の特殊効果を選択的に付加することが好ましい。
（１）シャッタ音を模擬した音声
（２）シャッタの開閉を模した切り換え効果用画像
（３）静止画を閃光撮影した場合には、バルブ球の燃焼音や爆発音
（４）静止画を閃光撮影した場合には、バルブ球の煙を模した切り換え効果用画像
【００６０】
なお、フリーズ動画データの同期再生音が無い場合や短い場合には、効果音声データを長めに設定してフリーズ動画データと同期再生することで、フリーズ動画データの印象を強めることが好ましい。
このような特殊効果により、動画データとフリーズ動画データとの切り換え箇所における動から静への変化を効果的に演出することができる。
【００６１】
なお、音声データの最初と最後は、いきなり音が始まったり切れたりしないように、音声データにフェードイン処理やフェードアウト処理を施すことが好ましい。
さらに、第２音声データは、フリーズ動画の再生時間に一致させず、全押し操作から１秒程度に短縮してもよい。この場合には、撮影後にカメラが直ぐにカバンにしまわれた場合などの雑音が録音されることはない。
次に、別の実施形態について説明する。
【００６２】
《第３実施形態》
第３実施形態の構成は、第１実施形態（図１）と同じため、ここでの説明を省略する。
第３実施形態の特徴は、フリーズ動画データ、動画データの順番に連結された動画ファイルを生成する点である。
図７は、第３実施形態の動作を説明する流れ図である。以下、図７に示すステップ番号に沿って、これらの動作を説明する。
【００６３】
ステップＳ３０１：  第１実施形態のステップＳ１と同じ処理。
【００６４】
ステップＳ３０２：  静止画撮影に先立って、音声処理部３２は、マイク３３から音声データ（以下『第２音声データ』という）を取得し、バッファメモリ１７に蓄積する。音声処理部３２は、この第２音声データの内、３秒を超える過去の音声データを順次廃棄する。
【００６５】
ステップＳ３０３〜Ｓ３１０：  第１実施形態のステップＳ２〜Ｓ９と同じ処理。
【００６６】
ステップＳ３１１：  第１実施形態のステップＳ１１と同じ処理
【００６７】
ステップＳ３１２：  このような半押し操作後に、レリーズ釦２２ｃの半押し操作が解除されると、マイクロプロセッサ２２はステップＳ３０２に動作を戻す。
一方、レリーズ釦２２ｃの半押し操作が継続中の場合、マイクロプロセッサ２２は、ステップＳ３１３に動作を移行する。
【００６８】
ステップＳ３１３：  ここで、マイクロプロセッサ２２は、レリーズ釦２２ｃが全押しされたか否かを判定する。
もし、全押し操作を検出した場合、マイクロプロセッサ２２はステップＳ３１４に動作を移行する。
一方、全押し操作を検出しない場合、マイクロプロセッサ２２はステップＳ３１０に動作を戻す。
【００６９】
ステップＳ３１４：  第１実施形態のステップＳ１４と同じ処理。
【００７０】
ステップＳ３１５：  マイクロプロセッサ２２は、第２音声データの蓄積動作を停止する。
【００７１】
ステップＳ３１６：  マイクロプロセッサ２２は、タイミングジェネレータ２２ｂを介して、撮像素子１３をドラフトモードで順次駆動し、３秒間分のＶＧＡサイズの動画データをバッファメモリ１７に蓄積する。音声処理部３２は、この３秒間の動画撮影期間中、マイク３３から音声データ（以下『第１音声データ』という）を取得し、動画データの同期再生音としてバッファメモリ１７に蓄積する。
【００７２】
ステップＳ３１７〜Ｓ３２０：  第１実施形態のステップＳ１５〜Ｓ１８と同じ処理。
【００７３】
ステップＳ３２１：  マイクロプロセッサ２２は、バッファメモリ１７内のフリーズ動画データの最終フレームに続けて、所定の切り換え効果用画像、およびステップＳ３１６で作成した動画データを連結編集する。
【００７４】
ステップＳ３２２：  マイクロプロセッサ２２は、フリーズ動画データ、および切り換え効果用画像の同期再生音として、第２音声データおよび所定の効果音データを付加する。
【００７５】
ステップＳ３２３〜Ｓ３２４：  第１実施形態のステップＳ２１〜Ｓ２２と同じ処理。
【００７６】
［第３実施形態の効果など］
以上説明したように、第３実施形態では第１実施形態と同様の効果を得ることができる。
さらに、第３実施形態では、フリーズ動画（静止画）と動画の切り換え箇所に、特殊効果（効果音声データおよび切り換え効果用画像）を付加する。例えば、デジタルカメラ１１では、下記の特殊効果を選択的に付加することが好ましい。
（１）『スタート！』などの動画スタートを印象付ける音声
（２）映画のカチンコの開閉動作を模した切り換え効果用画像
（３）静止画を閃光撮影した場合には、バルブ球の燃焼音や爆発音
（４）静止画を閃光撮影した場合には、バルブ球の煙を模した切り換え効果用画像
このような特殊効果により、静から動への変化を効果的に演出することができる。
次に、別の実施形態について説明する。
【００７７】
《第４実施形態》
第４実施形態の構成は、第１実施形態（図１）と同じため、ここでの説明を省略する。
第４実施形態の特徴は、複数のフリーズ動画データを連結して、スライド自動再生用の動画ファイルを生成する点である。
図８は、第４実施形態の動作を説明する流れ図である。以下、図８に示すステップ番号に沿って、これらの動作を説明する。
【００７８】
ステップＳ４０１〜Ｓ４０９：  第１実施形態のステップＳ１〜Ｓ９と同じ処理。
【００７９】
ステップＳ４１０〜Ｓ４１７：  第１実施形態のステップＳ１１〜Ｓ１８と同じ処理。
【００８０】
ステップＳ４１８：  マイクロプロセッサ２２は、フリーズ動画データに、元の静止画ファイル特定用の識別情報を付加する。
【００８１】
ステップＳ４１９：  マイクロプロセッサ２２は、前回撮影した静止画ファイルと、最新の静止画ファイルとについて、撮影日付を比較する。
両ファイルの撮影日付が異なっている場合、マイクロプロセッサ２２は、撮影日付の変わり目と判断して、ステップＳ４２０に動作を移行する。
一方、両ファイルの撮影日付が同じ場合、マイクロプロセッサ２２は、ステップＳ４２１に動作を移行する。
【００８２】
ステップＳ４２０：  マイクロプロセッサ２２は、日付の情報表示を含む画像を生成し、フリーズ動画データの先頭フレームとして追加する。
【００８３】
ステップＳ４２１：  マイクロプロセッサ２２は、メモリカード２１内のスライド自動再生用の動画ファイル（過去のフリーズ動画データを連結したもの）に対して、最新のフリーズ動画データを連結編集する。
【００８４】
ステップＳ４２２：  マイクロプロセッサ２２は、ステップＳ４１６で作成したＶＧＡ静止画を、このスライド自動再生用の動画ファイルのキャプチャーメニュー用として追加する。
【００８５】
ステップＳ４２３：  マイクロプロセッサ２２は、上述した記録処理を完了すると、ステップＳ４０１に動作を戻し、次回の撮影処理に備える。なお、デジタルカメラ１１の主電源がオフされた場合には、記録処理の完了を待って動作を終了する。
【００８６】
［第４実施形態の効果など］
以上説明したように、第４実施形態では、フリーズ動画データを連結した動画ファイルを作成する。この動画ファイルは、再生機器において通常の動画と同様に再生することによって、スライド自動再生を確実かつ簡単に実現することができる。
【００８７】
また、第４実施形態では、ＶＧＡ静止画を動画ファイルのキャプチャーメニュー用として追加する。したがって、ユーザーは、再生機器のチャプターメニュー機能を使用して、所望のＶＧＡ静止画を選択することが可能となる。その結果、所望のフリーズ動画データからスライド自動再生を開始することが可能になる。
【００８８】
なお、第４実施形態において、撮影日付の変わり目にあたるＶＧＡ静止画のみをキャプチャーメニュー用として追加してもよい。この場合、再生機器のチャプターメニュー機能を使用して、所望の撮影日付の画像からスライド自動再生を開始することが可能になる。
【００８９】
さらに、第４実施形態では、動画ファイルの撮影日付の変わり目に、日付表示を挿入する。その結果、スライド自動再生中に、撮影日付の切り変わる箇所を日付表示によって確認することができる。
【００９０】
また、第４実施形態では、動画ファイル内のフリーズ動画データごとに、作成元の静止画ファイルを特定するための識別情報を格納する。したがって、再生機器側の機能を用いて、スライド自動再生中に、この識別情報を辿って作成元の静止画ファイルの高精細表示に切り換えるなどの機能を容易に実現できる。
次に、別の実施形態について説明する。
【００９１】
《第５実施形態》
第５実施形態の構成は、第１実施形態（図１）と同じため、ここでの説明を省略する。
第５実施形態の特徴は、デジタルカメラ１１のフレーミング安定を契機にして、動画バッファリングを実施する点である。
図９は、第５実施形態の動作を説明する流れ図である。以下、図９に示すステップ番号に沿って、これらの動作を説明する。
【００９２】
ステップＳ３１〜Ｓ３５：  第１実施形態のステップＳ１〜Ｓ５と同じ処理。
【００９３】
ステップＳ３６：  マイクロプロセッサ２２は、ＶＧＡ画像のフレーム間について画素差を求め、その画素差の絶対値について総和を求める。
この総和が閾値未満の場合、マイクロプロセッサ２２は、フレーミングが安定していると判別し（第１開始信号の入力）、ステップＳ３７に動作を移行する。
また、総和が閾値以上の場合、マイクロプロセッサ２２は、フレーミングが不安定であると判別し、ステップＳ３２に動作を戻す。
なお、フレーミング安定の判定については、ＶＧＡ画像を例えば２５５ブロックに分割してブロックごとに平均輝度を求め、この平均輝度のフレーム間変化からフレーミング安定を判定してもよい。または被写体に公知の顔認識技術により人物の顔が検出された場合には、被写体の顔の動きならびに顔の大きさ変化からフレーミング安定を判定してもよい。
【００９４】
ステップＳ３７〜Ｓ４１：  第１実施形態のステップＳ７〜Ｓ１１と同じ処理。
【００９５】
ステップＳ４２：  ここで、マイクロプロセッサ２２は、レリーズ釦２２ｃが全押しされたか否かを判定する。
もし、全押し操作を検出した場合、マイクロプロセッサ２２はステップＳ４４に動作を移行する。
一方、全押し操作を検出しない場合、マイクロプロセッサ２２はステップＳ４３に動作を戻し、動画バッファリングを継続する。
【００９６】
ステップＳ４３：  マイクロプロセッサ２２は、動画バッファリング中もフレーミングの安定判別を継続する。
その結果、フレーミングが安定している場合、マイクロプロセッサ２２は、ステップＳ３９に動作を戻し、動画バッファリングを続ける。
一方、フレーミングが不安定になった場合（第１開始信号の解除）、マイクロプロセッサ２２は、ステップＳ３１に動作を戻す。この場合、バッファメモリ１７内の動画バッファリングは記録保存されることなく削除される。この削除動作の後、マイクロプロセッサ２２は、ステップＳ３２以降の動作を再開する。
【００９７】
ステップＳ４４〜Ｓ５２：  第１実施形態のステップＳ１４〜Ｓ２２と同じ処理。
【００９８】
［第５実施形態の効果など］
以上説明したように、第５実施形態では、フレーミング安定を契機にして動画バッファリングを開始し、フレーミングが不安定になると動画バッファリングを記録せずに削除する。この機能により、レリーズ釦２２ｃの半押し操作が苦手なユーザーであっても、動画バッファリングの開始操作および解除操作を簡単に実施することができる。
【００９９】
なお、第５実施形態では、『半押し期間中』かつ『フレーミング安定』という条件を満足する場合に限って動画バッファリングを実施してもよい。
また、第５実施形態では被写体の変化の有無で動画の取り込みを開始したが、例えば、照明機能付きのデジタルカメラ（カメラ付き携帯電話など）であれば、照明機能のオン動作に連動して、動画の取り込みを開始してもよい。
次に、別の実施形態について説明する。
【０１００】
《第６実施形態》
第６実施形態の構成は、第１実施形態（図１）と同じため、ここでの説明を省略する。
第６実施形態の特徴は、セルフタイマを契機にして、動画バッファリングを実施する点である。
図１０は、第６実施形態の動作を説明する流れ図である。以下、図１０に示すステップ番号に沿って、これらの動作を説明する。
【０１０１】
ステップＳ６１〜Ｓ６５：  第１実施形態のステップＳ１〜Ｓ５と同じ処理。
【０１０２】
ステップＳ６６：  マイクロプロセッサ２２は、スイッチ群２２ａがセルフタイマモードに設定された状態で、レリーズ釦２２ｃが押されると、セルフタイマが起動されたと判断する。
このようにセルフタイマの起動を検出すると（第１開始信号の入力）、マイクロプロセッサ２２はステップＳ６７に動作を移行する。
一方、セルフタイマの起動を検出しない場合、マイクロプロセッサ２２はステップＳ６２に動作を戻す。
【０１０３】
ステップＳ６７〜Ｓ７１：  第１実施形態のステップＳ７〜Ｓ１１と同じ処理。
【０１０４】
ステップＳ７２：  マイクロプロセッサ２２は、スイッチ群２２ａがセルフタイマモード以外に設定されると、セルフタイマが解除されたと判断する。
一方、セルフタイマが解除された場合（第１開始信号の解除）、マイクロプロセッサ２２は、ステップＳ６１に動作を戻す。この場合、バッファメモリ１７内の動画バッファリングは記録保存されることなく削除される。この削除動作の後、マイクロプロセッサ２２は、ステップＳ６２以降の動作を再開する。
一方、セルフタイマが継続中の場合、マイクロプロセッサ２２は、ステップＳ７３に動作を移行する。
【０１０５】
ステップＳ７３：  ここで、マイクロプロセッサ２２は、セルフタイマの設定時間が経過したか否かを判断する。
セルフタイマの設定時間が経過した場合（第２開始信号の入力）、マイクロプロセッサ２２は、ステップＳ７４に動作を移行する。
一方、セルフタイマの設定時間が経過していない場合、マイクロプロセッサ２２は、ステップＳ６９に、セルフタイマ期間中の動画バッファリングを継続する。
【０１０６】
ステップＳ７４〜Ｓ８２：  第１実施形態のステップＳ１４〜Ｓ２２と同じ処理。
【０１０７】
［第６実施形態の効果など］
以上説明したように、第６実施形態では、セルフタイマの経時期間中、動画バッファリングを実施する。この場合、セルフタイマによる静止画撮影の直前に、デジタルカメラの前で繰り広げられる様々なドラマを、動画として保存記録することが可能になる。
また、セルフタイマの途中解除と共に、動画バッファリングを削除するため、不要の動画がメモリカード２１内に蓄積されるといった事態を回避することができる。
次に、別の実施形態について説明する。
【０１０８】
《第７実施形態》
第７実施形態の構成は、第１実施形態（図１）と同じため、ここでの説明を省略する。
第７実施形態の特徴は、被写体輝度に応じて動画記録をオンオフ制御する点である。
図１１は、第７実施形態の動作を説明する流れ図である。以下、図１１に示すステップ番号に沿って、これらの動作を説明する。
【０１０９】
ステップＳ９１〜Ｓ９８：  第１実施形態のステップＳ１〜Ｓ８と同じ処理。
【０１１０】
ステップＳ９９：  マイクロプロセッサ２２は、ＶＧＡ画像の明るさ（すなわち被写体輝度）が、第１閾値より高いか否かを判定する。この第１閾値は、被写体輝度が動画撮影に適しているか否かを判別する閾値である。
被写体輝度が第１閾値より高い場合、マイクロプロセッサ２２は、動画撮影に適していると判断し、ステップＳ１０１に動作を移行する。
一方、被写体輝度が第１閾値以下の場合、マイクロプロセッサ２２は、動画撮影に不適切であると判断し、ステップＳ１００に動作を移行する。
【０１１１】
ステップＳ１００：  マイクロプロセッサ２２は、音声処理部３２から取得する音声データのみを、バッファメモリ１７に蓄積する。この動作の後、マイクロプロセッサ２２は、ステップＳ１０３に動作を移行する。
【０１１２】
ステップＳ１０１：  マイクロプロセッサ２２は、タイミングジェネレータ２２ｂを介して、撮像素子１３をドラフトモードで順次駆動し、ＶＧＡ画像の撮像を継続する。
【０１１３】
ステップＳ１０２：  マイクロプロセッサ２２は、ＶＧＡ画像と音声データをバッファメモリ１７に逐次蓄積する。
【０１１４】
ステップＳ１０３：  画像表示部２４は、このＶＧＡ画像を、モニタ画面２５に順次表示する。
【０１１５】
ステップＳ１０４：  このような動画バッファリング中に、レリーズ釦２２ｃの半押し操作が解除されると、マイクロプロセッサ２２はステップＳ９１に動作を戻す。このステップＳ９１に戻ることによって、動画バッファリングは記録保存されることなく削除される。この動画バッファリングの削除の後、マイクロプロセッサ２２は、ステップＳ９２以降の動作を再開する。
一方、レリーズ釦２２ｃの半押し操作が継続中の場合、マイクロプロセッサ２２は、ステップＳ１０５に動作を移行する。
【０１１６】
ステップＳ１０５：  ここで、マイクロプロセッサ２２は、レリーズ釦２２ｃが全押しされたか否かを判定する。
もし、全押し操作を検出した場合、マイクロプロセッサ２２はステップＳ１０６に動作を移行する。
一方、全押し操作を検出しない場合、マイクロプロセッサ２２はステップＳ９９に動作を戻す。
【０１１７】
ステップＳ１０６：  バッファメモリ１７内に動画バッファリングが存在しない場合、マイクロプロセッサ２２は、ステップＳ１０７の赤目軽減のプリ発光に移行する。
一方、バッファメモリ１７内に動画バッファリングが存在する場合、赤目軽減発光を行わずに、ステップＳ１０８に動作を移行する。通常、赤目現象を軽減するためのプリ発光には１秒程度の発光時間を要する。そのため、プリ発光を実施した場合には、動画部分と静止画部分（フリーズ動画データ）との時間間隔が開き、つなぎ目で絵柄が不連続になる。そこで、プリ発光を省くことにより、つなぎ目の絵柄が不連続になることを防止している。
【０１１８】
ステップＳ１０７：  マイクロプロセッサ２２は、閃光発光部３１を制御して、赤目現象を軽減するためのプリ発光を実施する。
【０１１９】
ステップＳ１０８：  マイクロプロセッサ２２は、被写体輝度が第２閾値より高いか否かを判定する。この第２閾値は、静止画撮影に閃光発光を必要とするか否かを判別する閾値である。
被写体輝度が第２閾値より高い場合、マイクロプロセッサ２２は、閃光発光は不要と判断し、ステップＳ１１０に動作を移行する。
一方、被写体輝度が第２閾値以下の場合、マイクロプロセッサ２２は、閃光発光が必要と判断し、ステップＳ１０９に動作を移行する。
【０１２０】
ステップＳ１０９：  マイクロプロセッサ２２は、閃光発光部３１を制御して、静止画撮影に同期して閃光発光を実施する。
【０１２１】
ステップＳ１１０〜Ｓ１１４：  第１実施形態のステップＳ１４〜Ｓ１８と同じ処理。
【０１２２】
ステップＳ１１５：  マイクロプロセッサ２２は、レリーズ釦２２ｃの半押し時間が第３閾値により短かったか否かを判定する。この第３閾値は、レリーズ釦２２ｃが一気に全押しされたか否か、あるいは、半押し操作が一瞬の無効な操作であったか否かを判定する閾値である。
ここで、半押し時間が第３閾値よりも短かった場合、マイクロプロセッサ２２は、瞬間的な動画データは無効であると判断して、ステップＳ１１６に動作を移行する。
一方、半押し時間が第３閾値以上に長い場合、マイクロプロセッサ２２は、動画データは有効と判断して、ステップＳ１１７に動作を移行する。
なお、第３閾値としては、動画規格における動画データの最小単位ＧＯＰ（グループオブピクチャー）の最小再生時間に応じて、０．５秒程度に設定することが好ましい。
【０１２３】
ステップＳ１１６：  マイクロプロセッサ２２は、バッファメモリ１７内の無効な動画バッファリングを削除し、フリーズ動画データをメモリカード２１に記録する。この動作の後、ステップＳ１２０に動作を移行する。
【０１２４】
ステップＳ１１７〜１２０：  第１実施形態のステップＳ１９〜Ｓ２２と同じ処理。
【０１２５】
［第７実施形態の効果など］
以上説明したように、第７実施形態では、動画バッファリングの期間が短いと判定された場合、動画データを保存しない。したがって、レリーズ釦２２ｃの一気押しによって、瞬間的で無意味な動画が記録媒体中に溜まるといった弊害を、簡単かつ合理的に回避できる。
【０１２６】
また、第７実施形態では、被写体輝度が暗い場合も、動画データを保存しない。その結果、真っ暗で意味不明な動画が記録媒体中に溜まるといった弊害を、簡単かつ合理的に回避できる。
【０１２７】
なお、フリーズ動画データについては、閃光照明を実施した明るい静止画から作成される。従来、動画再生をフリーズ再生した場合、暗いままの動画フレームが静止表示されるため、暗い上にノイズが多くて見づらい画像となる。しかしながら、第７実施形態では、閃光照明を実施した明るいフリーズ動画を表示するため、明るくて綺麗な静止画表示を実現できる。
【０１２８】
また、再生時には、暗い状態の動画データから、閃光照明を実施した明るいフリーズ動画データに再生表示が切り換わることにより、閃光発光を演出した臨場感のある再生表示が可能になる。
【０１２９】
さらに、第７実施形態では、被写体輝度が暗い場合、動画データに代えて音声データのみを保存する。その結果、動画撮影に適さない暗い状態であっても、音声によってその場の臨場感を記録することが可能になる。
次に、別の実施形態について説明する。
【０１３０】
《第８実施形態》
第８実施形態の構成は、第１実施形態（図１）と同じため、ここでの説明を省略する。
第８実施形態の特徴は、通常の動画データをデータサイズ優先で比較的に高圧縮率に設定し、フリーズ動画データを画質優先で動画データよりも低圧縮率に設定する点である。
図１２は、第８実施形態の動作を説明する流れ図である。以下、図１２に示すステップ番号に沿って、これらの動作を説明する。
【０１３１】
ステップＳ１５１〜Ｓ１７０：  第１実施形態のステップＳ１〜Ｓ２０と同じ処理。
【０１３２】
ステップＳ１７１：  ここでは、圧縮伸張部２３が、半押し期間中に蓄積された動画データのエンコードを行う。例えば、ＭＰＥＧ２の動画ファイルに圧縮を行う場合、画像の基本となるＩピクチャーを第１圧縮率（高圧縮）で圧縮し、エンコードする。この動画データについてはフレーム間に動きがあるため、圧縮率を高く設定しても視覚的な画像劣化は少ない。また、動画データの圧縮符号量は少なくなる。
【０１３３】
ステップＳ１７２：  続いて、圧縮伸張部２３は、フリーズ動画のエンコードを行う。例えば、ＭＰＥＧ２の動画ファイルに圧縮を行う場合、画像の基本となるＩピクチャーを第２圧縮率（低圧縮）で圧縮し、エンコードする。その結果、フリーズ動画データについては視覚的な画質劣化が少なくなる。なおフリーズ動画データの場合にはＩピクチャーの圧縮符号量が多くても、フレーム間の画像変化を示すＢピクチャーやＰピクチャーの情報量を少なくすることが可能であり、フリーズ動画データの圧縮符号量はさほど多くならない。
【０１３４】
ステップＳ１７３：  マイクロプロセッサ２２は、圧縮伸張部２３によってエンコード処理を済ませた圧縮データを、メモリカード２１に記録する。
【０１３５】
ステップＳ１７４：  第１実施形態のステップＳ２２と同じ処理。
【０１３６】
［第８実施形態の効果など］
以上説明したように、第８実施形態では第１実施形態と同様の効果を得ることができる。
さらに、第８実施形態では、動画データとフリーズ動画データの画像圧縮において、両データの特徴に応じて圧縮率を切り換えることにより、視覚的に画質劣化の目立たず、かつ全体の圧縮符号量を少なく抑えた画像記録が実現する。
次に、別の実施形態について説明する。
【０１３７】
《第９実施形態》
第９実施形態の構成は、第１実施形態（図１）と同じため、ここでの説明を省略する。
第９実施形態の特徴は、動画データを解像度変換する点である。
図１３は、第９実施形態の動作を説明する流れ図である。以下、図１３に示すステップ番号に沿って、これらの動作を説明する。
【０１３８】
ステップＳ１８１〜Ｓ１８９：  第１実施形態のステップＳ１〜Ｓ９と同じ処理。
【０１３９】
ステップＳ１９０：  画像処理部１９は、ＶＧＡ画像（動画フレーム）を画素補間により拡大し、『横９６０画素、縦７２０画素』に解像度変換する。この変換後の画像は、簡易ハイビジョンフォーマットの『横１２８０画素、縦７２０画素』の画面表示に適した画像サイズとなる。
【０１４０】
ステップＳ１９１〜Ｓ１９６：  第１実施形態のステップＳ１０〜Ｓ１５と同じ処理。
【０１４１】
ステップＳ１９７：  画像処理部１９は、バッファメモリ１７内の静止画を元に解像度の低減処理を実施し、動画データと同じ『横９６０画素、縦７２０画素』の静止画（以下、簡易ハイビジョン静止画という）を作成する。
【０１４２】
ステップＳ１９８：  画像処理部１９は、カメラ姿勢の検出結果から縦位置撮影であることを検出すると、簡易ハイビジョン静止画に対して、回転変換・解像度変換・余白追加の処理を施す。
【０１４３】
ステップＳ１９９：  マイクロプロセッサ２２は、ステップＳ１９８の処理を経た簡易ハイビジョン静止画を、動画フレームとして３秒間再生するフリーズ動画データを作成する。
【０１４４】
ステップＳ２００：  マイクロプロセッサ２２は、バッファメモリ１７内の動画データのヘッダ用の情報として簡易ハイビジョン静止画を格納する。
【０１４５】
ステップＳ２０１〜Ｓ２０５：  第８実施形態のステップＳ１７０〜Ｓ１７４と同じ処理。
【０１４６】
［第９実施形態の効果など］
以上説明したように、第９実施形態では第１実施形態と同様の効果を得ることができる。
さらに、第９実施形態では、動画データおよびフリーズ動画データをそれぞれ『横９６０画素、縦７２０画素』に解像度変換することにより、ハイビジョンフォーマットの高画質テレビ等での画像鑑賞に適した動画表示および静止画表示を実現することが可能になる。
次に、別の実施形態について説明する。
【０１４７】
《第１０実施形態》
第１０実施形態の構成は、第１実施形態（図１）と同じため、ここでの説明を省略する。
第１０実施形態の特徴は、動画データから全押し直前の画像を取得し、フリーズ動画データを作成する点である。
図１４は、第１０実施形態の動作を説明する流れ図である。以下、図１４に示すステップ番号に沿って、これらの動作を説明する。
【０１４８】
ステップＳ２１１〜Ｓ２２５：  第１実施形態のステップＳ１〜Ｓ１５と同じ処理。
【０１４９】
ステップＳ２２６：  マイクロプロセッサ２２は、バッファメモリ１７中の動画バッファリングから、全押し直前のＶＧＡ画像を読み出す。
【０１５０】
ステップＳ２２７：  マイクロプロセッサ２２は、姿勢センサ２２ｄから得たカメラ姿勢に応じて、全押し直前のＶＧＡ画像を回転変換する。
【０１５１】
ステップＳ２２８：  マイクロプロセッサ２２は、ステップＳ２２７の処理を経たＶＧＡ画像を、動画フレームとして３秒間再生するフリーズ動画データを作成する。
【０１５２】
ステップＳ２２９：  マイクロプロセッサ２２は、バッファメモリ１７内の動画データのヘッダ用の情報として、全押し直前のＶＧＡ画像を格納する。
【０１５３】
ステップＳ２３０〜Ｓ２３２：  第１実施形態のステップＳ２０〜Ｓ２２と同じ処理。
【０１５４】
［第１０実施形態の効果など］
以上説明したように、第１０実施形態では第１実施形態と同様の効果を得ることができる。
さらに、第１０実施形態では、全押し直前の動画データからフリーズ動画データを作成する。そのため、高解像度の静止画をサイズ縮小してフリーズ動画データを作成する必要がなく、処理負荷が少ないという利点がある。
次に、上述した実施形態で作成された動画ファイル（動画データとフリーズ動画データを連結したもの）の再生動作について説明する。
【０１５５】
《再生画面の例》
図１５は、表示画面を示す図（ディスプレー上の中間調画像の写真を含む）である。
このような表示画面は、デジタルカメラ１１内の画像表示部２４で作成され、デジタルカメラ１１に接続された外部モニタに表示される。また、外部コンピュータや動画再生装置が、通信媒体や記録媒体を介して、デジタルカメラ１１側で作成されたファイル群を取り込み、図１５に示す表示画面の作成および表示を実施してもよい。
【０１５６】
以下、表示画面とその操作動作について説明する。
図１５（１）に示す表示画面には、再生画面１００、サムネイル１０１、操作アイコン１０２〜１０４、および撮影日時１０６が表示される。
再生画面１００は、メインの再生画像が表示される。デフォルト状態では、動画ファイルのヘッダーに収められた静止画が表示される。
【０１５７】
この状態で、ユーザーが、再生画面１００もしくは再生アイコン１０５のクリック、またはデジタルカメラ１１の再生釦を押すと、半押し期間中などに記録された動画が再生画面１００に動画再生される。その後、フリーズ動画が再生画面１００に表示される。
ユーザーが特に何も操作を行わなければ、ファイル名や撮影日付の順番に従って、新しい動画ファイルが次々に再生される。
【０１５８】
一方、再生画面１００がフォーカス選択された状態で、逆送りアイコン１０２や早送りアイコン１０４のクリック、またはデジタルカメラ１１側の再生制御釦（不図示）の操作を行うと、再生画面１００に表示される静止画が撮影日時の順番で切り換わる。
サムネイル１０１には、動画ファイルの静止画がサムネイル表示される。このサムネイル１０１がフォーカス選択された状態で、逆送りアイコン１０２や早送りアイコン１０４を操作すると、サムネイル１０１の列を左右にスクロールすることができる。この状態で、サムネイル１０１をクリック選択することにより、再生画面１００にクリック選択された静止画が表示される。
【０１５９】
一方、図１５（２）は、ブック型の表示画面を示すものである。このブック型の左右ページには、日付表示２０６、再生画面２００、ページ送りアイコン２０２，２０４、および再生アイコン２０５が表示される。
このページ送りアイコン２０２，２０４をクリック操作することにより、まず、ページ送りのアニメーションが表示され、前後の新しいページが表示される。この新しいページに、撮影日時の順番に沿った新たな静止画が表示される。
【０１６０】
このような状態で、再生アイコン２０５をクリックすると、まず左ページ側の動画再生が行われる。左ページの動画表示が終了すると、右ページ側の動画再生が続いて実施される。
なお、デジタルカメラ１１を外部モニタに接続して再生する場合、デジタルカメラ１１の再生釦の一度押しで動画ファイルを再生し、２度押し（ダブルクリック）で静止画の再生をするようにしても良い。
【０１６１】
《実施形態の補足事項》
なお、第７実施形態では、動画データのバッファリング時間が第３閾値よりも短い場合に動画データを記録せず、短時間の動画データの無意味な蓄積を回避している（図７のＳ１１５，Ｓ１１６参照）。この機能は、第７実施形態のみに限らず、第１〜第３実施形態、および第５〜第１０実施形態で実施することが好ましい。
【０１６２】
また、第７実施形態では、バッファリング中の動画データが第１閾値より暗い場合に動画データを記録せず、その期間の音声データのみを記録している（第７のＳ９９〜Ｓ１００参照）。この機能についても、第７実施形態のみに限らず、第１〜第３実施形態、および第５〜第１０実施形態で実施することが好ましい。
【０１６３】
なお、第９実施形態では、ドラフトモード（減数読み出しモード）で読み出される動画を簡易ハイビジョンの画素サイズに拡大補間し、全画素読み出しモードで読み出される静止画を簡易ハイビジョンの画素サイズに縮小している。この機能についても、第９実施形態のみに限らず、第１〜第３実施形態、および第５〜第１０実施形態で実施することが好ましい。
【０１６４】
その他、上述した第１〜第１０実施形態では、下記動作を実施することが好ましい。
（１）静止画のみにストロボを照射する。
（２）動画と静止画で感度を変える。静止画と動画とで電荷蓄積時間を変える
（３）動画撮影中には赤目軽減ランプの照射は行わない。
（４）静止画のみにノイズ除去を行う。
（５）静止画の記録解像度がＶＧＡより小さい場合には動画を作成しない。
【産業上の利用可能性】
【０１６５】
以上説明したように、本発明は、電子カメラなどに利用可能な技術である。
【図面の簡単な説明】
【０１６６】
【図１】第１実施形態の構成を示すブロック図である。
【図２】第１実施形態の動作を説明する流れ図である。
【図３】ファイルの格納フォルダーを説明する図である。
【図４】撮影姿勢に応じたＶＧＡ静止画の回転変換を示す図である。
【図５】動画ファイルを連結したファイル構造を示す図である。
【図６】第２実施形態の動作を説明する流れ図である。
【図７】第３実施形態の動作を説明する流れ図である。
【図８】第４実施形態の動作を説明する流れ図である。
【図９】第５実施形態の動作を説明する流れ図である。
【図１０】第６実施形態の動作を説明する流れ図である。
【図１１】第７実施形態の動作を説明する流れ図である。
【図１２】第８実施形態の動作を説明する流れ図である。
【図１３】第９実施形態の動作を説明する流れ図である。
【図１４】第１０実施形態の動作を説明する流れ図である。
【図１５】表示画面を示す図（ディスプレー上の中間調画像の写真を含む）である。
【符号の説明】
【０１６７】
１１  デジタルカメラ
１２  撮影レンズ
１３  撮像素子
１５  Ａ／Ｄ変換部
１６  信号処理部
１７  バッファメモリ
１８  バス
１９  画像処理部
２０  カードインターフェース
２１  メモリカード
２２  マイクロプロセッサ
２２ａ  スイッチ群
２２ｂ  タイミングジェネレータ
２２ｃ  レリーズ釦
２２ｄ  姿勢センサ
２３  圧縮伸張部
２４  画像表示部
２５  モニタ画面
３０  赤目軽減発光部
３１  閃光発光部
３２  音声処理部
３３  マイク
１００  再生画面
【図１】
2006165768.tif 000003
【図２】
2006165768.tif 000004
【図３】
2006165768.tif 000005
【図４】
2006165768.tif 000006
【図５】
2006165768.tif 000007
【図６】
2006165768.tif 000008
【図７】
2006165768.tif 000009
【図８】
2006165768.tif 000010
【図９】
2006165768.tif 000011
【図１０】
2006165768.tif 000012
【図１１】
2006165768.tif 000013
【図１２】
2006165768.tif 000014
【図１３】
2006165768.tif 000015
【図１４】
2006165768.tif 000016
【図１５】
2006165768.tif 000017